【手続補正書】
【提出日】平成28年11月25日(2016.11.25)
【手続補正１】
【補正対象書類名】特許請求の範囲
【補正対象項目名】全文
【補正方法】変更
【補正の内容】
【特許請求の範囲】
【請求項１】
画素を有する表示部と、
複数のサブ輝度情報を含む輝度情報に基づいて前記表示部を駆動する駆動部と
を備え、
前記駆動部は、各サブ輝度情報に対して設定される１または複数の表示期間において、各サブ輝度情報に基づいて前記画素を時分割的に駆動し、
各表示期間の開始タイミングおよび前記表示期間の数の一方または双方が変更可能に構成された
表示装置。
【請求項２】
前記駆動部は、各サブ輝度情報に対して１つの表示期間を設定する第１の動作モードを有し、
前記輝度情報は、第１のサブ輝度情報および第２のサブ輝度情報を含む所定数のサブ輝度情報を含み、
前記第１の動作モードにおいて、前記第１のサブ輝度情報に対して設定される表示期間の中心タイミングと、前記第２のサブ輝度情報に対して設定される表示期間の中心タイミングとの間の第１のタイミング差は、フレーム期間の時間長を前記所定数で割った区分時間長よりも短い
請求項１に記載の表示装置。
【請求項３】
前記駆動部は、各サブ輝度情報に対して１つの表示期間を設定する第２の動作モードを有し、
前記第２の動作モードにおける前記第１のタイミング差は、前記第１の動作モードにおける前記第１のタイミング差よりも長い
請求項２に記載の表示装置。
【請求項４】
前記輝度情報は、第３のサブ輝度情報をさらに含む
請求項２に記載の表示装置。
【請求項５】
前記第２のサブ輝度情報に対して設定される表示期間は、前記第１のサブ輝度情報に対して設定される表示期間、および前記第３のサブ輝度情報に対して設定される表示期間よりも長い
請求項４に記載の表示装置。
【請求項６】
前記第１の動作モードにおいて、前記第１のタイミング差は、一の輝度情報に対して設定される複数の表示期間のうちの最後の期間の中心タイミングと、前記一の輝度情報の次の一の輝度情報に対して設定される複数の表示期間のうちの最初の期間の中心タイミングとの間の第２のタイミング差よりも小さい
請求項２に記載の表示装置。
【請求項７】
前記駆動部は、各サブ輝度情報に対して複数の表示期間を設定する第３の動作モードをさらに有し、
前記第３の動作モードにおいて、
前記第１のサブ輝度情報に対して設定される複数の表示期間のうちの最後の期間の中心タイミングと、前記第２のサブ輝度情報に対して設定される複数の表示期間のうちの最初の期間の中心タイミングとの間の第３のタイミング差は、フレーム期間の時間長を前記所定数で割った区分時間長よりも短く、
一の輝度情報に対して設定される複数の表示期間のうちの最後の期間の中心タイミングと、前記一の輝度情報の次の一の輝度情報に対して設定される複数の表示期間のうちの最初の期間の中心タイミングとの間の第４のタイミング差は、前記区分時間長よりも短い
請求項２に記載の表示装置。
【請求項８】
前記駆動部は、前記第３の動作モードにおいて、各サブ輝度情報に対して２つの表示期間を設定する
請求項７に記載の表示装置。
【請求項９】
前記第３の動作モードにおいて、
前記第１のサブ輝度情報に対して設定される複数の表示期間のうちの最後の期間の時間長は、最初の期間の時間長よりも長く、
前記第２のサブ輝度情報に対して設定される複数の表示期間のうちの最初の期間の時間長は、最後の期間の時間長よりも長い
請求項７に記載の表示装置。
【請求項１０】
前記第３の動作モードにおいて、
前記第１のサブ輝度情報に対して設定される複数の表示期間のうちの最後の期間の時間長は、最初の期間の時間長よりも短く、
前記第２のサブ輝度情報に対して設定される複数の表示期間のうちの最初の期間の時間長は、最後の期間の時間長よりも短い
請求項７に記載の表示装置。
【請求項１１】
前記駆動部は、フレーム画像の動き量に基づいて、動作モードを決定する
請求項２に記載の表示装置。
【請求項１２】
前記駆動部は、フレーム画像における、動きのある画像部分の比率に基づいて、動作モードを決定する
請求項２に記載の表示装置。
【請求項１３】
各表示期間の長さに応じて、対応するサブ輝度情報を補正する補正部をさらに備えた
請求項１に記載の表示装置。
【請求項１４】
入力輝度情報の値がとりうる範囲を複数の階調範囲に区分し、前記入力輝度情報の各階調範囲における輝度情報成分を各サブ輝度情報として求める信号生成部をさらに備えた
請求項１に記載の表示装置。
【請求項１５】
画素を有する表示部と、
発光部と、
複数のサブ輝度情報を含む輝度情報に基づいて前記表示部および前記発光部を駆動する駆動部と
を備え、
前記駆動部は、各サブ輝度情報に基づいて前記画素を時分割的に駆動するとともに、各サブ輝度情報に対して設定される１または複数の発光期間において前記発光部を駆動し
各発光期間の開始タイミングおよび前記発光期間の数の一方または双方が変更可能に構成された
表示装置。
【請求項１６】
前記表示部は液晶表示部であり、
前記発光部はバックライトであり、
前記駆動部は、複数の動作モードを有し、動作モードに応じて、各発光期間の開始タイミングおよび前記発光期間の数の一方または双方を変化させる
請求項１５に記載の表示装置。
【請求項１７】
輝度情報に含まれる複数のサブ輝度情報のそれぞれに対して１または複数の表示期間を設定することと、
前記１または複数の表示期間において、各サブ輝度情報に基づいて画素を時分割的に駆動することと
を含み、
各表示期間の開始タイミングおよび前記表示期間の数の一方または双方が変更可能である
表示装置の駆動方法。
【請求項１８】
表示装置と
前記表示装置に対して動作制御を行う制御部と
を備え、
前記表示装置は、
画素を有する表示部と、
複数のサブ輝度情報を含む輝度情報に基づいて前記表示部を駆動する駆動部と
を備え、
前記駆動部は、各サブ輝度情報に対して設定される１または複数の表示期間において、各サブ輝度情報に基づいて前記画素を時分割的に駆動し、
各表示期間の開始タイミングおよび前記表示期間の数の一方または双方が変更可能に構成された
電子機器。
【手続補正２】
【補正対象書類名】明細書
【補正対象項目名】００２７
【補正方法】変更
【補正の内容】
【００２７】
制御部１６は、解析結果ＡＲおよび基準条件情報ＩＣに基づいて、補正部１２および駆動部２０を制御するものである。その際、制御部１６は、解析結果ＡＲに基づいて、複数の動作モード（この例では４つの動作モードＭ１〜Ｍ４）のうちの１つを選択する。動作モードＭ１〜Ｍ４は、後述するように、例えば、発光タイミングや発光デューティ比ＤＲ１，ＤＲ２が互いに異なるものである。そして、制御部１６は、その選択された動作モードに基づいて、制御信号ＣＴＬ２を介して、発光タイミングや発光デューティ比ＤＲ１，ＤＲ２を駆動部２０に指示する。また、制御部１６は、発光デューティ比ＤＲ１を変更する場合には、制御信号ＣＴＬ１を介して、表示輝度Ｌ１を維持するようにサブ輝度情報ＩＳ１を補正すべき旨を補正部１２に指示し、発光デューティ比ＤＲ２を変更する場合には、制御信号ＣＴＬ１を介して、表示輝度Ｌ２を維持するようにサブ輝度情報ＩＳ２を補正すべき旨を補正部１２に指示するようになっている。
【手続補正３】
【補正対象書類名】明細書
【補正対象項目名】００３７
【補正方法】変更
【補正の内容】
【００３７】
電源線駆動部２２は、制御部１６から供給された制御信号ＣＴＬ２に従って、複数の電源線ＰＬに対して電源信号ＤＳを順次印加することにより、サブ画素９の発光動作および消光動作の制御を行うものである。電源信号ＤＳは、この例では３つの電圧Ｖccp，Ｖext，Ｖiniの間で遷移するものである。後述するように、電圧Ｖccpは、駆動トランジスタＤＲＴｒに電流を流して発光素子４９を発光させるための電圧であり、電圧Ｖext，Ｖiniよりも高い電圧である。電圧Ｖextは、発光素子４９を消光させるための電圧であり、電圧Ｖiniよりも高い電圧である。電圧Ｖiniは、サブ画素９を初期化するための電圧である。
【手続補正４】
【補正対象書類名】明細書
【補正対象項目名】００４２
【補正方法】変更
【補正の内容】
【００４２】
（全体動作概要）
まず、図１を参照して、表示装置１の全体動作概要を説明する。サブフレーム生成部１１は、画像信号Ｓpicが示すフレーム画像Ｆに基づいて、２つのサブフレーム画像ＦＳ１，ＦＳ２を生成し、画像信号Ｓpic2を生成する。解析部１４は、画像信号Ｓpicに基づいて、その画像信号Ｓpicが示す画像を解析し、その解析結果ＡＲを出力する。基準条件設定部１５は、例えば、表示装置１の周囲の明るさなどの環境条件や、ユーザ設定などに基づいて、表示装置１の動作の基準条件を設定し、基準条件情報ＩＣとして出力する。制御部１６は、解析結果ＡＲおよび基準条件情報ＩＣに基づいて、制御信号ＣＴＬ１を介して補正部１２を制御するとともに、制御信号ＣＴＬ２を介して駆動部２０を制御する。補正部１２は、制御信号ＣＴＬ１に基づいて、画像信号Ｓpic2に含まれるサブ輝度情報ＩＳ１，ＩＳ２に対して補正を行い、画像信号Ｓpic3として出力する。パネルガンマ変換部１３は、線形なガンマ特性を有する画像信号Ｓpic3を、表示部３０の特性に対応した非線形なガンマ特性を有する画像信号Ｓpic4に変換する。駆動部２０は、画像信号Ｓpic4および制御信号ＣＴＬ２に基づいて、表示部３０を駆動する。表示部３０は、駆動部２０による駆動に基づいて画像を表示する。
【手続補正５】
【補正対象書類名】明細書
【補正対象項目名】０１１２
【補正方法】変更
【補正の内容】
【０１１２】
＜２．適用例＞
次に、上述した実施の形態で説明した表示装置の適用例について説明する。上記実施の形態の表示装置は、テレビジョン装置、電子ブック、スマートフォン、デジタルカメラ、ノート型パーソナルコンピュータ、ビデオカメラ、ヘッドマウントディスプレイなど、外部から入力された画像信号あるいは内部で生成した画像信号を、画像として表示するあらゆる分野の電子機器の表示装置に適用することが可能である。